(57)【要約】【課題】取付姿勢を自由に変更可能にすることにより、鳥が電線に接近することを効果的に邪魔することができるようにして、電線自体や電線の周囲の機器に鳥害が及ぶことをより確実に防止することのできる鳥害防止装置を提供すること。【解決手段】鳥の接近を邪魔する部材を電線の周囲に配設する鳥害防止装置１０であって、電線１００に固定する固定部材１２と、該固定部材に電線の外周に沿う方向に回転自在に支持される回転部材１３と、該回転部材から離隔する方向に延在する姿勢で当該回転部材の複数箇所に固設されている延在部材１４と、を備えており、回転部材周りの延在部材１４の重量のバランスに偏りを持たせて当該延在部材１４が所望の姿勢を自然に取ることができるようにする。【選択図】図１
2008301574.tif 000002
【特許請求の範囲】
【請求項１】
鳥の接近を邪魔する部材を電線の周囲に配設する鳥害防止装置であって、
電線に固定する固定部材と、該固定部材に電線の外周に沿う方向に回転自在に支持される回転部材と、該回転部材から離隔する方向に延在する姿勢で当該回転部材の複数箇所に固設されている延在部材と、を備えており、
回転部材の周方向の所定箇所が最下に位置するように重量のバランスを配分していることを特徴とする鳥害防止装置。
【請求項２】
前記回転部材の固設箇所毎の延在部材は、自己の形状を概略保持することができる程度の自重に対する強度を有する棒状に形成されてそれぞれが拡開する状態に作製されている複数本の棒状揺動部材を備えており、
当該棒状揺動部材には、自重等の負荷により自己の形状が自由に変形する糸状に形成された１本あるいは複数本の糸状揺動部材が固設箇所に応じて連設されていることを特徴とする請求項１に記載の鳥害防止装置。
【請求項３】
前記固定部材および回転部材は、電線への取付時の外形が流線形になるように設計されていることを特徴とする請求項１または２に記載の鳥害防止装置。
【請求項４】
前記固定部材は、電線の外面に相対回転不能に密接する内面を有するとともに該電線を内部に押込可能に開口する押込口を形成されている概略円筒形状に弾性変形可能な樹脂材料により作製される一方、
前記回転部材は、固定部材の外面に相対回転自在に摺接する内面を有するとともに該固定部材を内部に押込可能に開口する押込口を形成されている概略円筒形状に弾性変形可能な樹脂材料により作製されており、
当該固定部材の両端部には、回転部材が長さ方向にスライドして外れてしまうことを制限する大径部が形成されていることを特徴とする請求項１から３のいずれかに記載の鳥害防止装置。
【請求項５】
前記固定部材または回転部材の一方あるいは双方の押込口には、当該押込口を閉止する蓋部材が設けられていることを特徴とする請求項４に記載の鳥害防止装置。
【発明の詳細な説明】
【技術分野】
【０００１】
本発明は、鳥害防止装置に関し、詳しくは、電線や電線近傍に鳥が止まることを邪魔して短絡事故などの鳥害の発生を防止するものに関する。
【背景技術】
【０００２】
従来、電線や電線周りの器具は、導電物が接触するなどして短絡事故が発生することを防止する必要があることから、電線では導電線に絶縁被覆を被せることにより絶縁性を確保している。
【０００３】
この電線には、鳥が止まって外被を傷めないように針状の部材を取り付けることが提案されており（例えば、特許文献１参照）、また、その電線周りの機器上に巣を作って電線を損傷させてしまうことを防止するために、その機器を糸状材料で上方からカバーするような防止具を電柱に取り付けることも提案されている（例えば、特許文献２参照）。
【特許文献１】特開２００２−２０９５０４号公報
【特許文献２】実開平７−４４９９７号公報
【発明の開示】
【発明が解決しようとする課題】
【０００４】
しかしながら、文献１に記載の鳥害防止装置では、電線に一旦固定してしまうとその姿勢を変更・調整することが困難であり、例えば、近年に導入が進められている間接活線工法により、鳥が止まるのを効果的に邪魔することができるように、その針状部材を略鉛直に立てた状態に取り付けるのは難しい。
【０００５】
また、文献２に記載の鳥害防止装置では、機器の上方に電線が存在するなどした場合には、取り付けることが難しく、このような場合に、その電線に文献１に記載の鳥害防止装置の針状部材を下向きにして固定しようとしても、上述したように、所望の姿勢になるように間接活線工法で電線に固定することが難しい。
【０００６】
そこで、本発明は、取付姿勢を自由に変更可能にすることにより、鳥などが電線に接近することを効果的に邪魔することができるようにして、電線自体や電線の周囲の機器に鳥害が及ぶことをより確実に防止することのできる鳥害防止装置を提供することを目的とする。
【課題を解決するための手段】
【０００７】
上記課題を解決する鳥害防止装置の第１の発明は、鳥の接近を邪魔する部材を電線の周囲に配設する鳥害防止装置であって、電線に固定する固定部材と、該固定部材に電線の外周に沿う方向に回転自在に支持される回転部材と、該回転部材から離隔する方向に延在する姿勢で当該回転部材の複数箇所に固設されている延在部材と、を備えており、回転部材の周方向の所定箇所が最下に位置するように重量のバランスを配分していることを特徴とするものである。
【０００８】
この発明では、電線に固定部材を固定して、その固定部材に回転部材を支持させることにより、回転部材の複数箇所から離隔方向に延在する延在部材を電線回りに回転自在に取り付けることができ、この回転部材は、所定箇所が最下に位置するように重量バランスに応じて回転して復帰する。したがって、電線に取り付けるだけで延在部材を電線から所望の離隔方向に、例えば、上下方向に延在させて、鳥が近寄ることを邪魔することができ、鳥が触れたり風などで揺れる場合でも自然に回転復帰することができる。ここで、この回転部材を回転復帰させる重量バランスとしては、錘を吊り下げるなどして機能するようにしてもよく、また、延在部材の固設箇所や本数や長さなどで回転部材の周方向における重量に偏りを与えて機能させるようにすることもできる。
【０００９】
上記課題を解決する鳥害防止装置の第２の発明は、上記第１の発明の特定事項に加え、前記回転部材の固設箇所毎の延在部材は、自己の形状を概略保持することができる程度の自重に対する強度を有する棒状に形成されてそれぞれが拡開する状態に作製されている複数本の棒状揺動部材を備えており、当該棒状揺動部材には、自重等の負荷により自己の形状が自由に変形する糸状に形成された１本あるいは複数本の糸状揺動部材が固設箇所に応じて連設されていることを特徴とするものである。
【００１０】
この発明では、回転部材の外面から延在部材として棒状の揺動部材が延在するとともに、その棒状揺動部材には、配設箇所に応じて糸状の揺動部材が連設されて揺動する。したがって、例えば、延在部材が上下方向に延在する場合には、電線の上側では棒状の揺動部材により鳥が電線に止まることを邪魔しつつ風などにより揺動する一方、電線の下側では棒状揺動部材から糸状揺動部材が垂れ下がって下方に設置されている機器の上側に鳥が接近することを邪魔して営巣することなどを邪魔しつつ風などにより揺動する。
【００１１】
上記課題を解決する鳥害防止装置の第３の発明は、上記第１または第２の発明の特定事項に加え、前記固定部材および回転部材は、電線への取付時の外形が流線形になるように設計されていることを特徴とするものである。
【００１２】
この発明では、電線に固定部材や回転部材を取り付けた状態でも、その電線の外周で流線形の外面を形成するので、強風が吹き付ける場合でも、その風圧を受けてしまって大きな荷重になってしまうことなく、スムーズにその風圧を受け流すことができる。したがって、電線の負荷となる風圧荷重を極端に上昇させてしまうことなく、すなわち、適用箇所が制限されることなく、取り付けることができる。
【００１３】
上記課題を解決する鳥害防止装置の第４の発明は、上記第１から第３のいずれかの発明の特定事項に加え、前記固定部材は、電線の外面に相対回転不能に密接する内面を有するとともに該電線を内部に押込可能に開口する押込口を形成されている概略円筒形状に弾性変形可能な樹脂材料により作製される一方、前記回転部材は、固定部材の外面に相対回転自在に摺接する内面を有するとともに該固定部材を内部に押込可能に開口する押込口を形成されている概略円筒形状に弾性変形可能な樹脂材料により作製されており、当該固定部材の両端部には、回転部材が長さ方向にスライドして外れてしまうことを制限する大径部が形成されていることを特徴とするものである。
【００１４】
この発明では、固定部材は弾性変形しつつ押込口から押し込まれた電線を内装した後に弾性復帰することにより内面がその電線の外面に相対回転不能に密接して固定することができ、回転部材は同様に弾性変形しつつ押込口から押し込まれた固定部材の両端側の大径部間（小径部）を内装した後に弾性復帰することにより内面がその固定部材の外面に相対回転可能に摺接して延在部材を回転自在に取り付けることができる。したがって、固定部材や回転部材のいずれも、例えば、間接活線工法で用いるヤットコなどを用いて、押込口に電線や固定部材を押し付けるだけで取り付けることができる。
【００１５】
上記課題を解決する鳥害防止装置の第５の発明は、上記第４の発明の特定事項に加え、前記固定部材または回転部材の一方あるいは双方の押込口には、当該押込口を閉止する蓋部材が設けられていることを特徴とするものである。
【００１６】
この発明では、固定部材や回転部材の押込口は、蓋部材で閉止することができる。したがって、強風などによる負荷によりその押込口から離脱して外れてしまうことをより確実に防止することができる。
【発明の効果】
【００１７】
このように本発明によれば、延在部材を固定部材と回転部材により電線周りで回転自在に取り付けるとともに、所望の姿勢に回転復帰するように重量バランスを設定しているので、その延在部材を電線に対する所望の方向、例えば、上下方向に延在させた状態に取り付けて、鳥が近寄ることを邪魔することができるとともに、鳥が触れたり風などで揺れる場合でも自然に回転復帰することができる。したがって、固定部材の取付状態に左右されることなく、回転部材を相対回転させて延在部材を所望の方向に延在する姿勢にすることができ、電線の周囲に鳥が接近することを効果的に邪魔して、電線自体や周囲の機器に鳥害が及ぶことを確実に防止することができる。
【発明を実施するための最良の形態】
【００１８】
以下、本発明の最良の実施形態を図面に基づいて説明する。図１〜図６は本発明に係る鳥害防止装置の第１実施形態を示す図である。
【００１９】
図１において、鳥害防止装置１０は、電線１００に取り付けて固定した固定部材１２に回転部材１３を回転自在に組み付けることにより、その回転部材１３に植え付ける状態に固設されている延在部材１４をその電線１００の周方向に揺動・回転させるように設計されており、その延在部材１４が電線１００周りで揺動することにより鳥がその電線１００の周囲に止まることを邪魔する。
【００２０】
固定部材１２は、図２に示すように、電線１００の外径程度の内径に設定された内面２１を有する概略円筒形状に、弾性変形可能で滑性に優れる表面に成形可能な樹脂材料により作製されており、この固定部材１２の内面２１には、複数の突起２６が形成されている。これにより、固定部材１２は、内部に電線１００を内装させて内面２１を密接させたときには、その内面２１の突起２６が電線１００の外被に食い込んでその延在方向や周方向にずれてしまうことなく（相対回転不能に）固定することができる。
【００２１】
この固定部材１２は、所謂、断面Ｃ型の筒形状に形成されており、内部に内装する電線１００を押し込む押込口２３がその軸方向に延在して内面２１内と外面２２外とを連通させるように開口している。この押込口２３は、弾性変形することにより電線１００を内装可能に離隔するとともに弾性復帰することによりその電線１００が容易に離脱しない程度に接近するように内面２１側の内端辺２１ａの間隔を設定される一方、その外面２２側の外端辺２２ａは、その電線１００の外面に面接触可能な斜面２３ａを形成するように、内面２１側の内端辺２１ａから外面側に延長されている。これにより、固定部材１２は、押込口２３の斜面２３ａに電線１００を沿うように押し当てて内部に押し込むだけで内面２１内に内装させることができ、その電線１００の外被を内面２１に密接させて固定することができる。
【００２２】
また、固定部材１２は、両端側に大径部２４が形成されているとともに、その大径部２４の間には小径部２５が形成されており、その小径部２５に回転部材１３を回転自在に組み付けるように設計されている。これにより、固定部材１２は、小径部２５に組み付けた回転部材１３が電線１００の延長方向に移動しようとしても大径部２４で衝止することができ、回転部材１３が電線１００の延長方向に外れて脱落してしまうことを制限して回転自在に保持することができる。
【００２３】
回転部材１３は、固定部材１２と同様に、図３に示すように、固定部材１２の小径部２５の外径程度の内径に設定された内面３１を有する概略円筒形状に、弾性変形可能で滑性に優れる表面に成形可能な樹脂材料により作製されており、この回転部材１３は、固定部材１２の大径部２４間に差し込んで小径部２５を内装可能にその大径部２４の間隔（小径部２５の長さ）よりも短尺に形成されている。
【００２４】
この回転部材１３は、固定部材１２と同様に、所謂、断面Ｃ型の筒形状に形成されており、内部に内装する固定部材１２の小径部２５を押し込む押込口３３がその軸方向に延在して内面３１内と外面３２外とを連通させるように開口している。この押込口３３は、弾性変形することにより固定部材１２の小径部２５を内装可能に離隔するとともに弾性復帰することによりその小径部２５が容易に離脱しない程度に接近するように内面３１側の内端辺３１ａの間隔を設定される一方、その外面３２側の外端辺３２ａは、その固定部材１２の小径部２５の外面に面接触可能な斜面３３ａを形成するように、内面３１側の内端辺３１ａから外面側に延長されている。これにより、回転部材１３は、押込口３３の斜面３３ａに固定部材１２の小径部２５を平行に押し当てて内部に押し込むだけで内面３１内に内装させることができ、固定部材１２と回転部材１３はいずれも滑性に優れる樹脂材料により作製されていることから固定部材１２の外面３２に回転部材１３の内面３１が滑るように摺接して相対回転自在に組み付けることができる。
【００２５】
さらに、固定部材１２は、大径部２４の端部が半球形状に形成されており、回転部材１３は、その固定部材１２の大径部２４と同等の外径に形成されている。これにより、固定部材１２と回転部材１３は、組み立てた状態で外形が電線１００の外面から滑らかに連続する、所謂、流線形に形成されており、強風が電線１００の延長方向や交差方向から吹き付けられても大きな荷重になってしまうことなく、スムーズにその風圧を受け流すことができ、適用箇所に制限なく電線１００に取り付けることができる。
【００２６】
ここで、この鳥害防止装置１０は、固定部材１２の大径部２４間の小径部２５に回転部材１３を相対回転自在に組み付ける構造に設計されていることから、互いのエッジ箇所は相対回転を妨げてしまわないように円弧形状に形成するなど、所謂、面取りするのが好ましい。また、ここでは、固定部材１２の大径部２４の端部を半球形状に形成する場合を一例に説明するが、これに限るものではなく、例えば、断面が楕円になる形状に形成してもよく、あるいは、電線１００の外面からより滑らかに連続する円錐形状に形成するなどしてもよいことはいうまでもない。
【００２７】
延在部材１４は、回転部材１３の押込口３３を中心にする外面３２の直径方向の対称位置に配設されており、稲のように１箇所から複数本の棒状の弾性材４１、４２が生えているように固設されている。この弾性材４１、４２は、自己の形状を概略保持することができる程度の自重に対する強度を有するように弾性樹脂材料により作製されており、１箇所に固設されることによりそれぞれが拡開する状態で回転部材１３の概略法線方向に延在している。すなわち、この弾性材４１、４２は、自身の荷重や風圧などの負荷が加えられることにより揺動する棒状揺動部材を構成しており、この延在部材１４は、回転部材１３と共に固定部材１２の周囲を回転することにより電線１００周りに弾性材４１、４２を回転・揺動させて電線１００周りに止まろうとする鳥などにとって目障りで邪魔な存在となる。
【００２８】
この延在部材１４の弾性材４１、４２は、回転部材１３の外面３２の対称位置毎に異なる長さに設定されており、長めに設定されている弾性材４２の先端には、自重や風圧などの負荷により自己の形状を維持することなく自由に変形する釣り糸４３が１本ずつ（複数本でもよい）連設されている。これにより、延在部材１４は、弾性材４１、４２により重量バランスの配分に偏りが付けられており、固定部材１２の取り付け姿勢に関係なく、長めの弾性材４２が下方に延在するように（最下に位置するように）回転部材１３を自然に相対回転させることができ、釣り糸４３のない短めの弾性材４１が上方に延在するとともに、先端に釣り糸４３の垂れ下がっている弾性材４２を下方に延在させている状態に回転復帰する。ここでは、弾性材４１、４２の長さにより重量バランスに偏りを持たせているが、これに限るものではなく、錘を吊るすなどして自然に回転復帰するようにしてもよいことは言うまでもない。また、釣り糸４３は、必須のものではなく、鳥害防止装置１０の設置箇所に応じて選択・連設すればよい。
【００２９】
ここで、この鳥害防止装置１０は、固定部材１２や回転部材１３のいずれも押込口２３、３３に電線１００などを押し当てて内部に押し込むだけで内装させて組み付けることができることから、図４に示すヤットコ２００のような道具を利用して、電線１００からの絶縁性を確保する離隔位置から安全に作業することのできる間接活線工法により電線１００に取り付けることができる。
【００３０】
このヤットコ２００は、対象物を掴む把持部２０１と、作業者が把持して支持する支持棒２０２と、伝達棒２０３を介して操作力を伝達することにより把持部２０１を操作するハンドル２０４と、を備えている。このヤットコ２００は、支持棒２０２に固設されている把持部２０１の不動部材２０１ａに対して、ハンドル２０４を操作することにより伝達棒２０３に連結されている可動部材２０１ｂを回動軸２０１ｃを中心に回動させることにより、対象物などを掴むことができる。なお、このヤットコ２００は、掴む側からの水分を滴下させる傘カバー２０５と、掴む側からの絶縁性を考慮して安全に作業を行い得る限界位置を示す傘カバー２０６とを備えて、概略全体をプラスチックやゴム材料などの絶縁材料で作製されることにより絶縁性が確保されている。
【００３１】
したがって、鳥害防止装置１０は、例えば、図５に示すように、低圧電線１０１の上側に位置するように電柱１１０に架設されている高圧電線１００に取り付ける場合には、まずは、固定部材１２の大径部２４をヤットコ２００で把持しつつその押込口２３の斜面２３ａに電線１００を押し当てた状態にするとともに、別個のヤットコ２００でその電線１００を内部に押し込むように電線１００と固定部材１２（大径部２４や小径部２５）を一緒に把持すればよい。すると、固定部材１２は、弾性変形して内端辺２１ａ間を離隔させ内面２１内にその電線１００を内装することができ、この直後には、弾性復帰して内端辺２１ａ間が接近することにより、簡単に外れて脱落してしまうことがないとともに、その内面２１の突起２６が電線１００の外被に食い込んで相対回転不能かつ延長方向にスライド不能に取付・固定することができる。
【００３２】
この後には、同様に、延在部材１４をヤットコ２００で把持しつつ回転部材１３の押込口３３の斜面３３ａに固定部材１２の小径部２５を押し当てた状態にするとともに、別個のヤットコ２００でその小径部２５を内部に押し込むように固定部材１２と回転部材１３を一緒に把持すればよい。すると、回転部材１３は、弾性変形して内端辺３１ａ間を離隔させ内面３１内にその固定部材１２の小径部２５を内装することができ、この直後には、弾性復帰して内端辺３１ａ間が接近することにより、簡単に外れて脱落してしまうことがないとともに、相対回転可能で延長方向にスライド不能に固定部材１２の大径部２４間に取付・固定することができる。
【００３３】
同様に、例えば、図６に示すように、高圧電線１００を電柱１１０に引き止めて開閉器１２０に接続する箇所においては、その接続電線１０２にも固定部材１２と回転部材１３を組み付けることができ、その開閉器１２０の付近にも鳥害防止装置１０を取付・固定することができる。
【００３４】
この結果、鳥害防止装置１０は、高圧電線１００や接続電線１０２などの上側に向かうように延在部材１４の弾性材４１が延在する一方、低圧電線１０１や開閉器１２０の上側に向うように延在部材１４の弾性材４２が延在するとともにその先端から釣り糸４３が垂れ下がって、それぞれ風などにより揺動している状態に設置することができる。
【００３５】
よって、鳥などが高圧電線１００などに止まろうとしても延在部材１４の弾性材４１が邪魔になるとともに、低圧電線１０１や開閉器１２０に止まろうとしても延在部材１４の弾性材４２が邪魔になるとともに目障りになって止まることができず、さらに、無理に止まろうとしても気付き難い釣り糸４３が羽などに触れて驚かすことにより再度止まろうとすることを諦めさせることができる。
【００３６】
このように本実施形態においては、電線１００に固定部材１２を固定して回転部材１３を回転自在に取り付けることにより、延在部材１４の弾性材４１、４２をその重量バランスにより上下に延在する姿勢にしつつ揺動させることができ、下方の弾性材４２の先端からは釣り糸を垂れ下げて下方の電線１０１や開閉器１２０に鳥が止まることを邪魔することができる。したがって、固定部材１２の取付状態に左右されることなく、回転部材１３を相対回転させて延在部材１４（弾性材４１、４２や釣り糸４３）を所望の方向に延在させた状態にし、電線１００の周囲に鳥が接近することを効果的に邪魔することができ、電線１００自体や周囲の電線１０１や開閉器１２０などに鳥害が及ぶことをより確実に防止することができる。
【００３７】
次に、図７は本発明に係る鳥害防止装置の第２実施形態を示す図である。ここで、本実施形態は上述第１実施形態と略同様に構成されていることから、同様の構成には同一の符号を付して特徴部分を説明する（以下で説明する他の実施形態においても同様）。
【００３８】
図７において、鳥害防止装置１０の構成部品である固定部材１２および回転部材１３は、第１実施形態における押込口２３、３３に代えて、それぞれ押込口５３、６３が形成されている。
【００３９】
この押込口５３、６３は、固定部材１２の小径部２５を除く大径部２４の外面２２側と回転部材１３の外面３２側が延長されて鍔形状５１、６１が形成されており、内面２１、３１側の内端辺２１ａ、３１ａと外面２２、３２側の外端辺２２ａ、３２ａの間には、第１実施形態における平面状の斜面２３ａ、３３ａに代えて、凸形状に湾曲する湾曲面５３ａ、６３ａが形成されている。なお、図７においては、延在部材１４（弾性材４１、４２や釣り糸４３）は図示することを省略している。
【００４０】
これにより、固定部材１２は、押込口５３が大きく開口して湾曲面５３ａが大面積で外方に面することから、電線１００を容易に押し当てて内面２１内に押し込んで内装させることができるとともに、回転部材１３でも同様に、大きく開口して外方に面する押込口６３の湾曲面６３ａに固定部材１２の小径部２５を容易に押し当てて内面３１内に押し込んで内装させることができる。
【００４１】
また、この回転部材１３は、押込口６３の湾曲面６３ａの内面３１側の内端辺３１ａが断面鈍角に形成されることから、その内端辺３１ａが相対回転時に固定部材１２の小径部２５の外端辺２２ａに対向接近して突き当たって衝止されてしまうことを少なくすることができる。
【００４２】
このように本実施形態においては、上述第１実施形態における作用効果に加えて、固定部材１２や回転部材１３を容易に取り付けることができるとともに、固定部材１２に回転部材１３をより全周方向に相対回転させることができる。したがって、延在部材１４（弾性材４１、４２や釣り糸４３）を大きく揺動させて周囲に鳥が接近することをより効果的に邪魔することができ、電線１００や開閉器１２０などに鳥害が及ぶことをより確実に防止することができる。
【００４３】
次に、図８〜図１０は本発明に係る鳥害防止装置の第３実施形態を示す図である。
図８および図９において、鳥害防止装置１０の構成部品である固定部材１２および回転部材１３は、軸心付近から法線方向から延長された延長面として斜面７３ａ、８３ａがそれぞれ形成されており、その斜面７３ａ、８３ａ間に押込口７３、８３が開口されている。この押込口７３、８３は、その斜面７３ａ、８３ａに電線１００や固定部材１２の小径部２５を押し当てて内部に押し込むだけで内面２１、３１に内装させて取り付けるように設計されている。
【００４４】
また、この固定部材１２および回転部材１３には、押込口７３、８３と略同一形状に形成されることによりその押込口７３、８３内に嵌め込んで閉止する蓋部材７１、８１が設けられている。
【００４５】
蓋部材７１は、固定部材１２の大径部２４の外面２２側外端辺２２ａの一方に隣接する外面７２側外端辺７２ａがヒンジ７５を介して開閉方向に回動自在に連設されており、同様に、蓋部材８１は、回転部材１３の外面３２側外端辺３２ａの一方に隣接する外面８２側外端辺８２ａがヒンジ８５を介して開閉方向に回動自在に連設されている。
【００４６】
この蓋部材７１、８１は、そのヒンジ７５、８５の反対側の端面７１ａ、８１ａに、固定部材１２（大径部２４と小径部２５）や回転部材１３の押込口７３、８３の斜面７３ａ、８３ａに形成されている係合穴７６、８６に逆向き、言い換えると、外れる方向への移動を制限するように係合ロックする係合突起７７、８７が形成されている。
【００４７】
この係合突起７７、８７は、図１０に示すように、固定部材１２や回転部材１３の押込口７３、８３の斜面７３ａ、８３ａに閉止時に接近する側を、蓋部材７１、８１の端面７１ａ、８１ａから連続する傾斜面７７ａ、８７ａに形成するとともに、その反対側を端面７１ａ、８１ａに対して直交する鉛直面７７ｂ、８７ｂに形成されており、係合穴７６、８６は、その係合突起７７、８７を嵌め込み可能な相似形状に形成されて、傾斜面７６ａ、８６ａと鉛直面７６ｂ、８６ｂを備えている。
【００４８】
これにより、固定部材１２および回転部材１３は、押込口７３、８３内に蓋部材７１、８１を嵌め込む際には、その蓋部材７１、８１の係合突起７７、８７が押込口７３、８３の斜面７３ａ、７３ａに傾斜面７７ａ、８７ａを摺接させて押し広げるようにして係合穴７６、８６内に嵌まり込むことにより、その係合突起７７、８７の鉛直面７７ｂ、８７ｂが係合穴７６、８６の鉛直面７６ｂ、８６ｂに対面接触して外れる方向に戻ることを制限することができる。
【００４９】
また、蓋部材７１は、内面７８に固定部材１２の内面２１と同様の突起２６が形成されており、その内面２１内に内装する電線１００の外被に食い込んでその延在方向や周方向にずれてしまうことがないように（相対回転不能に）その電線１００を固定することができる。
【００５０】
さらに、回転部材１３や蓋部材８１は、内面３１、８８に滑らかに連続する凸形状８９が形成されており、固定部材１２の小径部２５に取り付けた状態では、その外面２２に凸形状８９の頂部が小さな接触面積で摺接する。
【００５１】
これにより、回転部材１３と蓋部材８１は、固定部材１２と蓋部材７１の境界に滑らかに傾斜する凸形状８９の頂部が嵌まり込んで相対回転することを妨げられることなく、その固定部材１２の小径部２５の外面２２や蓋部材７１の外面７２に凸形状８９の頂部のみの小面積を摺接させて摩擦抵抗を少なくし相対回転させることができる。
【００５２】
したがって、固定部材１２と回転部材１３は、押込口７３、８３を蓋部材７１、８１で閉止することにより、上述第１実施形態のようにその弾性力により掴む状態で取り付ける場合よりも、電線１００や小径部２５の全周回りにその蓋部材７１、８１を存在させて外れてしまわないように取り付けることができ、その回転部材１３をより小さな摩擦抵抗で相対回転させてその外面の延在部材１４（弾性材４１、４２や釣り糸４３）を小さな負荷でも揺動させることができる。
【００５３】
このように本実施形態においては、上述第１実施形態における作用効果に加えて、固定部材１２や回転部材１３をより信頼性高く取り付けることができ、また、弾性材４１、４２や釣り糸４３を弱い風などでも感度良く揺動させることができる。したがって、電線１００の周囲に鳥が接近することをより効果的に邪魔することができ、電線１００や開閉器１２０などに鳥害が及ぶことをより確実に防止することができる。
【００５４】
ここで、上述実施形態においては、固定部材１２を相対回転不能に電線１００に取り付けるために、その電線１００の外被に食い込む突起２６をその内面２１に形成する場合を一例に説明するが、これに限る必要はない。例えば、図１１に示すように、外被に軸心を中心にする両側外方に突出するリブ形状１５１の形成されている電線１５０の場合には、そのリブ形状１５１を変形させて内面２１に圧接させた状態にして取り付けることができ、この場合には、その内面２１に突起２６を形成することを省いても良い。
【００５５】
さらに、上述実施形態においては、延在部材１４の色を限定していないが、延在部材１４を鳥にとって見え辛い色彩の黄色にしてもよい。この場合には、電線１００に止まろうとしたときに、弾性材４１、４２や釣り糸４３に気が付くことなく羽などに触れさせて驚かすことができ、より効果的に再度止まろうとすることを諦めさせることができる。
【産業上の利用可能性】
【００５６】
これまで本発明の一実施形態について説明したが、本発明は上述の実施形態に限定されず、その技術的思想の範囲内において種々異なる形態にて実施されてよいことは言うまでもない。
【図面の簡単な説明】
【００５７】
【図１】本発明に係る鳥害防止装置の第１実施形態の概略全体構成を示す図であり、（ａ）は電線に取り付けた状態の正面立面図、（ｂ）はその側面立面図である。
【図２】その構成部品の固定部材を示す図であり、（ａ）はその平面図、（ｂ）はその側面図である。
【図３】その構成部品の回転部材と延在部材を示す図であり、（ａ）はその平面図、（ｂ）はその側面図である。
【図４】その取付時に利用する道具を示す平面図である。
【図５】その電線への取付パターンを示す図である。
【図６】その図５と異なる電線への取付パターンを示す図である。
【図７】本発明に係る鳥害防止装置の第２実施形態を示す図であり、（ａ）はその構成部品の固定部材を示す側面図、（ｂ）はその構成部品の回転部材を示す側面図である。
【図８】本発明に係る鳥害防止装置の第３実施形態を示す図であり、（ａ）はその構成部品の固定部材から蓋部材を離隔させている状態を示す側面図、（ｂ）はその固定部材に蓋部材を嵌め込んだ状態を示す側面図である。
【図９】その構成部品の回転部材側を示す図であり、（ａ）はその回転部材から蓋部材を離隔させている状態を示す側面図、（ｂ）はその回転部材に蓋部材を嵌め込んだ状態を示す側面図である。
【図１０】その腰部構成を示す一部拡大側面図である。
【図１１】その取り付け対象の電線の形状の一例を示す断面図である。
【符号の説明】
【００５８】
１０……鳥害防止装置    １２……固定部材    １３……回転部材    １４……延在部材    ２１、３１、７８、８８……内面    ２１ａ、３１ａ……内端辺    ２２、３２、７２、８２……外面    ２２ａ、３２ａ、７２ａ、８２ａ……外端辺    ２３、３３、５３、６３、７３、８３……押込口    ２３ａ、３３ａ、７３ａ、８３ａ……斜面    ２４……大径部    ２５……小径部    ２６……突起    ４１、４２……弾性材    ４３……釣り糸    ５１、６１……鍔形状    ５３ａ、６３ａ……湾曲面    ７１、８１……蓋部材    ７１ａ、８１ａ……端面    ７５、８５……ヒンジ    ７６、８６……係合穴    ７６ａ、７７ａ、８６ａ、８７ａ……傾斜面    ７６ｂ、７７ｂ、８６ｂ、８７ｂ……鉛直面    ７７、８７……係合突起    ８９……凸形状    １００、１０１、１０２、１５０……電線    １１０……電柱    １２０……開閉器    １５１……リブ形状    ２００……ヤットコ    ２０１……把持部    ２０２……支持棒    ２０３……伝達棒    ２０４……ハンドル    ２０５、２０６……傘カバー
【図１】
2008301574.tif 000003
【図２】
2008301574.tif 000004
【図３】
2008301574.tif 000005
【図４】
2008301574.tif 000006
【図５】
2008301574.tif 000007
【図６】
2008301574.tif 000008
【図７】
2008301574.tif 000009
【図８】
2008301574.tif 000010
【図９】
2008301574.tif 000011
【図１０】
2008301574.tif 000012
【図１１】
2008301574.tif 000013